(57)【特許請求の範囲】
【請求項１】
端子挿入方向と直交方向のコネクタハウジングの側壁に導通検査溝が設けられたコネクタに対し、導通検査用のプローブを導通検査溝から挿入して、端子収容室に挿入係止されている端子金具の側面に弾性接触させるコネクタ収容端子の導通検査装置において、
上記コネクタを保持すると共に、保持されたコネクタの端子金具に対し上記プローブを挿通可能なプローブ挿通孔を両側壁部に形成したコネクタホルダと、
上記コネクタホルダの両側面に対向して配置すると共に、上記プローブを装着した第１、第２のプローブホルダを備え、
上記第１のプローブホルダをベース部に固定すると共に、該第１のプローブホルダに対し上記コネクタホルダおよび第２のプローブホルダをベース部上で進退可能に連設し、かつ、上記第２のプローブホルダの上記コネクタホルダ側と反対側の受け面を押圧する操作レバーを設け、
上記コネクタホルダと上記第２のプローブホルダとの間および該第２のプローブホルダと上記操作レバーの間に第１のリンク、第２のリンクを設け、該第２のリンクの一端はピンを介して上記コネクタホルダに軸着すると共に第１のリンクの一端はピンを介して上記操作レバーに軸着し、かつ、上記第１のリンクおよび第２のリンクの他端に長孔を形成し、これら長孔に上記第２のプローブホルダに打ち込んだスライドピンを夫々スライド可能に嵌入し、
上記操作レバーの前進動作により上記第２のプローブホルダおよびコネクタホルダが上記第１のプローブホルダ側へ移動して、上記プローブが上記コネクタホルダに保持されるコネクタの導通検査溝に両側から挿入される検査位置へ位置決め可能とする一方、
上記操作レバーの後退動作により上記第２のプローブホルダおよびコネクタホルダを、上記第１のリンク、第２のリンクを介して上記コネクタホルダへのコネクタの着脱が可能な退避位置に後退連動させる構成としていることを特徴とするコネクタ収容端子の導通検査装置。
【請求項２】
上記押圧機構の操作レバーは上記ベース部の端部に一端を支点として揺動可能に取り付けられ、該操作レバーには揺動操作により上記第２のプローブホルダの受け面を押圧するカム部が設けられている請求項１に記載のコネクタ収容端子の導通検査装置。
【請求項３】
上記第１、第２のプローブホルダのうち少なくとも一方には、上記コネクタホルダに収容されるコネクタの端子挿入面に装着されるリテーナが不完全挿入状態のとき、該リテーナに干渉して上記第２のプローブホルダおよび上記コネクタホルダが上記検査位置へ移動するのを阻止するストッパが設けられている請求項１または請求項２に記載のコネクタ収容端子の導通検査装置。
【発明の詳細な説明】
【０００１】
【発明の属する技術分野】
本発明はコネクタ収容端子の導通検査装置に関し、特に、端子挿入方向と直交方向のコネクタハウジングの側壁に設けられた導通検査溝から導通検査用のプローブを挿入し、端子収容室内に挿入係止されている端子金具にサイドより接触させて導通検査を行うサイドプローブ型の導通検査装置に関するものである。
【０００２】
【従来の技術】
コネクタ収容端子の導通検査装置は、一般に、コネクタの端子収容室に対して、相手方コネクタとの嵌合側開口より導通検査用のプローブを挿入し、該プローブ先端を端子収容室内に挿入係止されている端子金具に接触させて導通検査を行ってる。しかしながら、端子金具が雌型である場合には、プローブ挿入側からは雌型端子金具の中空部しか見えず、プローブを接触させる端子金具端面が見えない問題がある。また、端子金具に対して相手方端子の挿入側と同一側からプローブを挿入した場合、プローブにより端子金具やコネクタに損傷を発生させると、相手方コネクタとの嵌合時に、電気接触信頼性や嵌合精度に問題が生じる恐れがある。
【０００３】
そのため、特に雌型端子金具の導通検査を行う場合には、端子収容室の先端開口からではなく、端子挿入方向と直交方向のサイドに導通検査溝を設け、該導通検査溝よりプローブを挿入し、端子金具のサイドにプローブを接触させて導通検査を行うサイドプローブ型の導通検査装置とすることが望まれている。
【０００４】
この種のサイドプローブ型導通検査装置として、本出願人は先に特開平６−２５８３７３号において、図１０に示すような導通検査装置を提供している。該装置は、コネクタ１の側壁に設けた導通検査溝１ａに挿入するプローブ２を、図示のようなＬ形状とし、下向きに屈折させた先端部を導通検査溝１ａに挿入させる構成としている。
【０００５】
【発明が解決しようとする課題】
上記構成とした場合、プローブ２を保持しているプローブホルダー２ａをコネクタ１を保持しているコネクタホルダー（図示せず）に前後進させると共に上下作動させなければならず、プローブホルダー２ａの移動機構が複雑となる問題がある。さらに、コネクタ１には、その一側壁（図中、上側壁）にしか導通検査溝１ａを設けることができず、言い換えれば、コネクタ１には端子収容室を１段しか設けることができない。コネクタは端子収容室を上下２段で設けている場合が多く、この種の上下２段の端子収容室を備えたコネクタに対しては上記装置を適用できない問題がある。
【０００６】
本発明は上記した問題に鑑みてなされたもので、プローブホルダーの動作をコネクタホルダー側への相対的な進退動作のみで行えるようにすると共に、上下２段に端子収容室が設けられているコネクタに対しても、該コネクタの両サイドに設ける導通検査溝へプローブを同時に挿入して導通検査が行えるサイドプローブ型の導通検査装置を提供することを課題としている。
【０００７】
【課題を解決するための手段】
上記課題を解決するため、本発明は、端子挿入方向と直交方向のコネクタハウジングの側壁に導通検査溝が設けられたコネクタに対し、導通検査用のプローブを導通検査溝から挿入して、端子収容室に挿入係止されている端子金具の側面に弾性接触させるコネクタ収容端子の導通検査装置において、
上記コネクタを保持すると共に、保持されたコネクタの端子金具に対し上記プローブを挿通可能なプローブ挿通孔を両側壁部に形成したコネクタホルダと、
上記コネクタホルダの両側面に対向して配置すると共に、上記プローブを装着した第１、第２のプローブホルダを備え、
上記第１のプローブホルダをベース部に固定すると共に、該第１のプローブホルダに対し上記コネクタホルダおよび第２のプローブホルダをベース部上で進退可能に連設し、かつ、上記第２のプローブホルダの上記コネクタホルダ側と反対側の受け面を押圧する操作レバーを設け、
上記コネクタホルダと上記第２のプローブホルダとの間および該第２のプローブホルダと上記操作レバーの間に第１のリンク、第２のリンクを設け、該第２のリンクの一端はピンを介して上記コネクタホルダに軸着すると共に第１のリンクの一端はピンを介して上記操作レバーに軸着し、かつ、上記第１のリンクおよび第２のリンクの他端に長孔を形成し、これら長孔に上記第２のプローブホルダに打ち込んだスライドピンを夫々スライド可能に嵌入し、
上記操作レバーの前進動作により上記第２のプローブホルダおよびコネクタホルダが上記第１のプローブホルダ側へ移動して、上記プローブが上記コネクタホルダに保持されるコネクタの導通検査溝に両側から挿入される検査位置へ位置決め可能とする一方、
上記操作レバーの後退動作により上記第２のプローブホルダおよびコネクタホルダを、上記第１のリンク、第２のリンクを介して上記コネクタホルダへのコネクタの着脱が可能な退避位置に後退連動させる構成としていることを特徴とするコネクタ収容端子の導通検査装置を提供している。
【０００８】
上記のように、本発明では、第１、第２のプローブホルダに装着したプローブをコネクタホルダに収容されるコネクタの導通検査溝に両サイドから挿入可能としているため、第２のコネクタホルダを押圧機構により第１のコネクタホルダ側に押圧して検査位置に移動させるだけで、プローブを両側の端子金具にそれぞれ接触させて導通検査を行うことができる。一方、コネクタホルダおよび第２のプローブホルダを、検査位置からコネクタホルダへのコネクタ収容時の退避位置へ後退動作させるには、連動機構により押圧機構の後退動作に連動可能としているため、その作業性を向上することができる。
【０００９】
具体的には、コネクタホルダへのコネクタの収容時には、操作レバーが後退位置にあり、この状態では第１、第２のプローブホルダとコネクタホルダはそれぞれ離間した退避位置に移動し、各プローブはコネクタの着脱に干渉しない位置で待機する状態となる。そして、コネクタホルダにコネクタを収容した後、操作レバーによって第２のプローブホルダの受け面を第１のプローブホルダ側に押圧すると、第２のプローブホルダはコネクタホルダの一側に干渉して該コネクタホルダを第１のプローブホルダ側に更に押圧する。これにより、第１のプローブホルダとコネクタホルダとの間およびコネクタホルダと第２のプローブホルダとの間の間隔が狭められて所要の検査位置に至る。そして、この位置でプローブの先端がコネクタホルダのプローブ挿入孔を通してコネクタの導通検査溝内に挿入され、その先端が各端子金具に弾性的に接触して導通検査が行われる。導通検査後に再び押圧機構を後退させると、これに伴ない第１のプローブホルダとコネクタホルダとの間およびコネクタホルダと第２のプローブホルダとの間に設けたリンクにより、コネクタホルダと第２のプローブホルダは退避位置に復帰し、各プローブがコネクタの導通検査溝から抜けるため、コネクタ収容部からコネクタを取り外すことが可能となる。
【００１０】
削除
【００１１】
上記したように、後退移動は、コネクタホルダと第２のプローブホルダとの間および該第２のプローブホルダと操作レバーとの間にそれぞれ設けた第１、第２のリンクにスライドピンを嵌入した機構を用いて移動しているため、操作レバーにより第２のプローブホルダおよびコネクタホルダを検査位置へ前進操作するとき、退避位置方向へ付勢されたスプリングを用いる必要がなく、該スプリングによる反発がないため、前進操作が重くならず作業性を向上することができる。
【００１２】
上記操作レバーは上記ベース部の端部に一端を支点として揺動可能に取り付け、該操作レバーにカム部を設け、該操作レバーの揺動操作により上記第２のプローブホルダの受け面を上記カム部により押圧可能な構成とするのが好ましい。このようにすればレバーの梃子作用により第２のプローブホルダおよびコネクタホルダを検査位置へ連動させる操作を手動で無理なく行うことができる。
【００１３】
上記第１、第２のプローブホルダのうち少なくとも一方には、上記コネクタホルダに収容されるコネクタの端子挿入面に装着されるリテーナが不完全挿入状態のとき、該リテーナに干渉して上記第２のプローブホルダおよびコネクタホルダの上記検査位置への移動を阻止するストッパを設けるようにするのが好ましい。
コネクタのリテーナが不完全挿入状態の場合は、コネクタホルダに収容されたコネクタの背面から突出しているリテーナにストッパが当接するため、第２のプローブホルダおよびコネクタホルダが検査位置まで移動できない。これにより、プローブはコネクタの端子金具に接触しないため、導通検査ができずリテーナが不完全挿入にあることが判別できる。さらに、ストッパは、第２のプローブホルダおよびコネクタホルダが検査位置にあるとき、コネクタホルダに対するコネクタの嵌入路を妨げる状態に位置するため、コネクタホルダへのコネクタの無理な装着によりプローブ先端を破損するのを防止できる。
【００１４】
本発明の導通検査装置で検査されるコネクタ収容端子は、雌型の端子金具の場合に特に好適に用いることができる。即ち、従来の導通検査装置では雌型の端子金具に対してプローブを容易に接触させることができなかったが、コネクタハウジングの側壁に設ける導通検査溝を、雌型の端子金具のバレル部以外の部分に対応させた位置に設けておくと、導通検査溝から挿入するプローブ先端を雌型の端子金具の側面に確実且つ簡単に接触させることができる。
【００１５】
【発明の実施の形態】
以下、本発明の実施形態を図面を参照して説明する。
図１乃至図７は参考実施形態に係る導通検査装置１０を示しており、ベース部１１上にはコネクタホルダ１２を中央にして第１、第２のプローブホルダ１３、１４を夫々対向するように連設している。上記導通検査装置１０は、端子金具Ｔを挿入する方向と直交する方向でコネクタハウジングＣａの側壁Ｃｂに導通検査溝Ｃｄが設けられており、端子金具Ｔが２段で設けられているコネクタＣを検査対象としている。
【００１６】
第１のプローブホルダ１３はベース部１１上の一端部にボルト１１ａにより固定する一方、コネクタホルダ１２および第２のプローブホルダ１４は、ベース部１１上に突設されて長さ方向に延びる一対のレール１１ｂに嵌合するガイド溝１２ｆ、１４ｆを下面に形成して、レール１１ｂに沿ってスライド可能としている（図３、図４）。
【００１７】
コネクタホルダ１２は、図２、図３に示すように、上面１２ａよりコネクタ保持用の収容部１２ｂを設けている。この収容部１２ｂの形状は検査対象のコネクタＣの外形と同等にされている。そして、図６（Ｂ）に示すように、コネクタホルダ１２の上面１２ａ側より収容部１２ｂ内にコネクタＣを嵌め込むと、コネクタＣは端子挿入面が上向きにされると共に、導通検査溝Ｃｄが形成された両側壁Ｃｂが第１、第２のプローブホルダ１３、１４にそれぞれ対向する状態で保持される。また、コネクタホルダ１２の両側の側壁部１２ｃには、コネクタホルダ１２に収容されたコネクタＣの導通検査溝Ｃｄの各位置に対向して凹部１２ｄを形成すると共に、該凹部１２ｄには導通検査溝Ｃｄに連通可能なプローブ挿通孔１２ｅを形成している。
【００１８】
第１のプローブホルダ１３の下部には、図６（Ａ）に示すように、コネクタホルダ１２および第２のプローブホルダ１４のガイド孔１２ｇ、１４ｇを通して延びるスライドシャフト１５ｃの一端を固定している。そして、第１のプローブホルダ１３とコネクタホルダ１２との間およびコネクタホルダ１２と第２のプローブホルダ１４との間には、スライドシャフト１５ｃに外装するようにしてスプリング１５ａ、１５ｂを圧入している。そして、このスプリング１５ａ、１５ｂにより後退連動機構１５を構成し、スプリング１５ａ、１５ｂの付勢力により、第１のプローブホルダ１３とコネクタホルダ１２との間およびコネクタホルダ１２と第２のプローブホルダ１４を離間する退避位置（図６（Ａ））へ強制的に後退させるようにしている。
【００１９】
また、第１、第２のプローブホルダ１３、１４のコネクタホルダ１２に対向する面には、凹部１２ｄに嵌合する凸部１３ａ、１４ａを突設すると共に、該凸部１３ａ、１４ａを通してプローブ１６、１７を装着している。プローブ１６、１７は検査すべきコネクタＣの導通検査溝Ｃｄと同ピッチで複数装着され、弾性的に突出する先端の接触子１６ａ、１７ａをプローブ挿通孔１２ｅを通して導通検査溝Ｃｄに挿通可能としている。そして、導通検査溝Ｃｄに挿入された接触子１６ａ、１７ａがコネクタＣの端子金具Ｔに弾性的に接触する状態となるように、第１のプローブホルダ１３に対しコネクタホルダ１２および第２のプローブホルダ１４が前進移動する位置を検査位置（図６（Ｂ））としている。この検査位置では、第１のプローブホルダ１３、コネクタホルダ１２および第２のプローブホルダ１４の対向面がそれぞれ当接した状態となり、更にコネクタホルダ１２の両側外面に対し、第１、第２のプローブホルダ１３、１４の両側に突設した顎部１３ｃ、１４ｃが外嵌して位置決めされるようにしている。
【００２０】
コネクタホルダ１２に隣接してベース部１１の他端部上には、第２のプローブホルダ１４におけるコネクタホルダ１２とは反対側の受け面１４ｄを押圧して前進連動させる押圧機構１８を構成する操作レバー１９を設けている。この操作レバー１９は、ベース部１１の端部両側に突設した軸受け１１ｃに挿通したピン１９ａを支点として揺動可能に取り付け、該操作レバー１９には揺動操作により受け面１４ｄを押圧するカム部１９ｂを設けている。
【００２１】
また、第１、第２のプローブホルダ１３、１４の上面には、端面がコネクタホルダ１２の収容部１２ｂ側へ突出するようにして板状のストッパ２０、２１を設けている。板状のストッパ２０、２１は収容部１２ｂ内に収容されたコネクタＣの端子挿入面に対向してコネクタＣの飛び出しを防止すると共に、端子挿入面側から装着される端子金具Ｔの二重係止用のリテーナＣｅが不完全挿入状態のとき、該リテーナＣｅに干渉してその状態を検知するものである。
【００２２】
なお、ベース部１１には作業台への固定用の取付金具２２が固定され、また、各プローブ１６、１７に接続された電線Ｗの端末には、検査機器への接続用コネクタ２３が取り付けられている。
【００２３】
次ぎに、上記導通検査装置１０を用いた導通検査の状況を説明する。
まず、図５に示すように、操作レバー１９が第２のプローブホルダ１４から遠ざかる方向に倒れた状態では、後退連動機構１５のスプリング１５ａ、１５ｂの付勢力によりコネクタホルダ１２と第１、第２のプローブホルダ１３、１４は所要間隔を有する退避位置に位置している。この状態において、ストッパ２０、２１も同様に後退移動して、コネクタホルダ１２の収容部１２ｂの入り口は開かれているので、図６（Ａ）に示すように、コネクタＣを収容部１２ｂ内に嵌め込む。
【００２４】
続いて、図６（Ｂ）に示すように、操作レバー１９を第２のプローブホルダ１４側へ回動して起立させると、カム部１９ｂの作用により第２のプローブホルダ１４がコネクタホルダ１２側へ押圧されて移動し、更にコネクタホルダ１２は第２のプローブホルダ１４と一体となって第１のプローブホルダ１３側へ押圧されて移動する。なお、このとき、コネクタＣのリテーナＣｅが半挿入状態で端面より突出している場合は、図７に示すように、ストッパ２０、２１がリテーナＣｅに当接するため、第２のプローブホルダ１４およびコネクタホルダ１２は検査位置まで至らない。この状態ではプローブ１６、１７の接触子１６ａ、１７ａが端子金具Ｔに接触されないため、導通検査不合格となる。
【００２５】
一方、リテーナＣｅが完全挿入された状態では、図６（Ｂ）に示すように、ストッパ２０、２１はコネクタＣの端子挿入面の端面に対向する位置に至るため、収容部１２ｂ内に嵌め込まれたコネクタＣの飛び出しが防止され、確実に位置決めされる。このとき、各プローブ１６、１７先端の接触子１６ａ、１７ａがプローブ挿通孔１２ｅおよび導通検査溝Ｃｄを通して対応する各端子金具Ｔに接触し、導通信号が発せられ、検査器により端子金具Ｔの配列状態の良否判定が行われる。導通検査完了後、操作レバー１９を再び倒伏状態（図６（Ａ））に操作すると、スプリング１５ａ、１５ｂの付勢力によりコネクタホルダ１２および第２のプローブホルダ１４は退避位置に後退連動するので、収容部１２ｂからコネクタＣを取り出すことができる。
【００２６】
図８（Ａ）（Ｂ）は、本発明の導通検査装置３０の実施形態を示し、後退連動機構３５を上記参考実施形態とは異なる手段としたものであり、第１、第２のリンク３５ａ、３５ｂにより構成している。第１のリンク３５ａは操作レバー１９と第２のプローブホルダ１４との間、第２のリンク３５ｂは第２のプローブホルダ１４とコネクタホルダ１２との間の少なくとも一側の側面間に渉ってそれぞれ設けている。また、コネクタホルダ１２と第１のプローブホルダ１３との間には、後退連動機構３５に直接関与しないが、コネクタホルダ１２の後退位置を規制するための第３のリンク３５ｃを設けている。
【００２７】
第１、第２、第３のリンク３５ａ、３５ｂ、３５ｃは、それぞれ一端に形成された取付孔３５ａ−１、３５ｂ−１、３５ｃ−１により、操作レバー１９およびコネクタホルダ１２に対し、取付ピン３５ａ−２、３５ｂ−２、３５ｃ−２にて取り付けるようにしている。一方、第１、第２、第３のリンク３５ａ、３５ｂ、３５ｃの他端には、長さ方向に沿って長孔３５ａ−３、３５ｂ−３、３５ｃ−３を形成し、第２のプローブホルダ１４および第１のプローブホルダ１３に打ち込んだスライドピン３５ａ−４、３５ｂ−４、３５ｃ−４をスライド可能に嵌入している。
【００２８】
第１のリンク３５ａにおける長孔３５ａ−３の長さＬａは、図９に示すように、操作レバー１９の揺動操作に伴なう取付ピン３５ａ−２の移動寸法Ｌから第２のプローブホルダ１４の退避位置から検査位置までの移動寸法Ｌｂを差し引いた寸法（Ｌａ＝Ｌ−Ｌｂ）に設定している。一方、第２、第３のリンクにおける長孔３５ｂ−３、３５ｃ−３は、上記長孔３５ａ−３の半分の長さＬａ／２に設定している。なお、本実施形態において、後退連動機構３５以外の構成は上記参考実施形態と同様のため、同一符号を用いてその説明を省略する。
【００２９】
次ぎに、上記後退連動機構３５を利用してコネクタホルダ１２および第２のプローブホルダ１４を後退連動させる動作を説明する。
図８（Ａ）は、コネクタホルダ１２および第２のプローブホルダ１４が検査位置にある状態を示している。この状態では、各スライドピン３５ａ−４、３５ｂ−４、３５ｃ−４は、長孔３５ａ−３、３５ｂ−３、３５ｃ−３の内側に位置している。そして、図８（Ｂ）に示すように、操作レバー１９を倒伏方向に操作すると、第１のリンク３５ａの長孔３５ａ−３の外側端部にスライドピン３５ａ−４が当接することで第２のプローブホルダ１４が退避位置へ強制連動される。これに伴ない、スライドピン３５ｂ−４が第２のリンク３５ｂの長孔３５ｂ−３の外側端部に当接することで、コネクタホルダ１２も退避位置へ強制連動される。また、第３のリンク３５ｃは、コネクタホルダ１２が退避位置に至った時点でスライドピン３５ｃ−４が長孔３５ｃ−３の外側端部に当接するため、コネクタホルダ１２が退避位置を超えて後退連動しないようにストッパーとして機能する。
【００３０】
【発明の効果】
以上の説明より明らかなように、本発明の導通検査装置を用いると、従来導通検査が困難であったタイプのコネクタも容易かつ確実に検査することができ、しかも、端子金具を２段で装着するタイプのコネクタにまで適用することができる。また、コネクタホルダには、コネクタの端子挿入面に装着されるリテーナが不完全挿入状態のとき、該リテーナに干渉するストッパを設けたので、導通検査に先だってリテーナの装着状態を検出することができる。
【図面の簡単な説明】
【図１】  本発明のコネクタ収容端子の導通検査装置の参考実施形態の正面図である。
【図２】  図１の導通検査装置の平面図である。
【図３】  図１の導通検査装置の要部の分解斜視図である。
【図４】  図１のコネクタホルダの側面図である。
【図５】  図１のコネクタホルダの退避位置での正面図である。
【図６】  （Ａ）はコネクタホルダの上記退避位置での断面図、（Ｂ）は検査位置での断面図である。
【図７】  図１の導通検査装置において、リテーナの半挿入状態のコネクタを装着した状態の断面図である。
【図８】  本発明の実施形態の導通検査装置の正面図であり、（Ａ）は検査位置、（Ｂ）は退避位置での状態を示す図である。
【図９】  第１、第２のリンクの長孔の寸法関係を示す図である。
【図１０】  従来の導通検査を示す概略図である。
【符号の説明】
Ｔ  端子金具
Ｃ  コネクタ
Ｃａ  コネクタハウジング
Ｃｄ  導通検査溝
Ｃｅ  リテーナ
１０、３０  導通検査装置
１１  ベース部
１２  コネクタホルダ
１２ａ  上面
１２ｂ  収容部
１２ｃ  側壁部
１２ｅ  プローブ挿通孔
１２ｆ  ガイド溝
１３  第１のプローブホルダ
１４  第２のプローブホルダ
１４ｄ  受け面
１５、３５  後退連動機構
１５ａ、１５ｂ  スプリング
３５ａ  第１のリンク
３５ｂ  第２のリンク
１６、１７  プローブ
１６ａ、１７ａ  接触子
１８  押圧機構
１９  操作レバー
１９ｂ  カム部
２０、２１  ストッパ
【図１】
0003705071.tif 000002
【図２】
0003705071.tif 000003
【図３】
0003705071.tif 000004
【図４】
0003705071.tif 000005
【図５】
0003705071.tif 000006
【図６】
0003705071.tif 000007
【図７】
0003705071.tif 000008
【図８】
0003705071.tif 000009
【図９】
0003705071.tif 000010
【図１０】
0003705071.tif 000011